(57)【特許請求の範囲】
【請求項１】
入力された信号を複数色の画像出力信号に変換する画像処理手段、該画像処理手段で変換された画像出力信号によりカラー画像を形成する画像形成手段を有するカラー画像形成装置において、前記画像形成手段は、各色の前記画像出力信号に応じて像担持体上あるいは被記録媒体上に通常のカラー画像を形成するために用いられるＣＭＹまたはＣＭＹＫのトナーを用いてトナー像を形成する複数のトナー像形成手段と、通常のカラー画像を形成するために用いられるトナー以外に色特性を変化させる付加トナーによるトナー像を形成する付加トナー像形成手段と、像担持体上あるいは被記録媒体上に形成されたトナー像を被記録媒体に定着させる定着手段を有し、前記付加トナーは、４００〜５００ｎｍに分光反射率のピークをもつ顔料を透明トナーに混入させたものであり、前記画像処理手段は、入力された信号を複数色の画像出力信号に変換する際に、入力された信号の色特性に基づいて前記付加トナー像形成手段でトナー像を形成する際の付加トナー量を決定することを特徴とするカラー画像形成装置。
【請求項２】
入力された信号を複数色の画像出力信号に変換する画像処理手段、該画像処理手段で変換された画像出力信号によりカラー画像を形成する画像形成手段を有するカラー画像形成装置において、前記画像形成手段は、各色の前記画像出力信号に応じて像担持体上あるいは被記録媒体上に通常のカラー画像を形成するために用いられるＣＭＹまたはＣＭＹＫのトナーを用いてトナー像を形成する複数のトナー像形成手段と、通常のカラー画像を形成するために用いられるトナー以外に色特性を変化させる付加トナーによるトナー像を形成する付加トナー像形成手段と、像担持体上あるいは被記録媒体上に形成されたトナー像を被記録媒体に定着させる定着手段を有し、前記付加トナーは、４００ｎｍ以下の光源によって４３０〜４４０ｎｍを中心に励起される蛍光物質を透明トナーに混入させたものであり、前記画像処理手段は、入力された信号を複数色の画像出力信号に変換する際に、入力された信号の色特性に基づいて前記付加トナー像形成手段でトナー像を形成する際の付加トナー量を決定することを特徴とするカラー画像形成装置。
【請求項３】
前記画像処理手段は、入力された信号の青成分に応じて付加トナー量を変化させることを特徴とする請求項１または請求項２に記載のカラー画像形成装置。
【請求項４】
入力された信号を複数色の画像出力信号に変換する画像処理手段、該画像処理手段で変換された画像出力信号によりカラー画像を形成する画像形成手段を有するカラー画像形成装置において、前記画像形成手段は、各色の前記画像出力信号に応じて像担持体上あるいは被記録媒体上に通常のカラー画像を形成するために用いられるＣＭＹまたはＣＭＹＫのトナーを用いてトナー像を形成する複数のトナー像形成手段と、通常のカラー画像を形成するために用いられるトナー以外に色特性を変化させる付加トナーによるトナー像を形成する付加トナー像形成手段と、像担持体上あるいは被記録媒体上に形成されたトナー像を被記録媒体に定着させる定着手段を有し、前記付加トナーは、４００〜５００ｎｍに分光反射率のピークをもつ顔料を透明トナーに混入させたものであり、前記画像処理手段は、出力モードに応じて付加トナー量を決定することを特徴とするカラー画像形成装置。
【請求項５】
入力された信号を複数色の画像出力信号に変換する画像処理手段、該画像処理部で変換された画像出力信号によりカラー画像を形成する画像形成手段を有するカラー画像形成装置において、前記画像形成手段は、各色の前記画像出力信号に応じて像担持体上あるいは被記録媒体上に通常のカラー画像を形成するために用いられるＣＭＹまたはＣＭＹＫのトナーを用いてトナー像を形成する複数のトナー像形成手段と、通常のカラー画像を形成するために用いられるトナー以外に色特性を変化させる付加トナーによるトナー像を形成する付加トナー像形成手段と、像担持体上あるいは被記録媒体上に形成されたトナー像を被記録媒体に定着させる定着手段を有し、前記付加トナーは、４００ｎｍ以下の光源によって４３０〜４４０ｎｍを中心に励起される蛍光物質を透明トナーに混入させたものであり、前記画像処理手段は、出力モードに応じて付加トナー量を決定することを特徴とするカラー画像形成装置。
【発明の詳細な説明】
【０００１】
【発明の属する技術分野】
本発明は、電子写真方式のカラー画像形成装置に関するものである。
【０００２】
【従来の技術】
近年、コンピュータの発達とネットワーク等の整備、また大容量の記憶媒体等の出現に加えてスキャナーやデジタルカメラ等の普及に伴い、急速に写真的な画像データが増大しており、またこれらの画像データを高画質でプリントアウトしたいという要求が高まってきている。特に、フルカラー画像に対して光沢を出すことによる画質向上の要望が高まっている。
【０００３】
一方、カラー画像形成装置のなかで電子写真方式は、感光紙などの特殊紙を必要とせず、普通紙にカラートナー画像を形成することができる等利用範囲が広い。また、近年になって高速定着が行われるようになり、瞬間的な加熱、加圧をトナー像に与えることで定着性の向上が図られている。しかし、定着を高速化するほど光沢がない画質となってしまうという欠点を有している。
【０００４】
この問題を解決する技術として、例えば特願平８−１５５６１５号においては、カラートナー像の単位面積当たりのトナー質量を調整している。また、特願平８−２２２５１６号では、被記録媒体（用紙）の表面処理を施している。さらに特公平７−３８０８４号公報では、非画像部に透明なトナーを用いることで、それぞれ均一な高光沢を得ている。
【０００５】
しかしながら、一般に異なった記録方法では、使用する色材の違いや画像構造の違いによって色の再現範囲（Ｃｏｌｏｒ  ｇａｍｕｔ）が異なるため、光沢感だけではなく色調の違いを補正することも必要となる。例えば、常用される銀塩写真とオフセット印刷ではマゼンタ色材の反射光の分光スペクトルの違いにより、５００ｎｍ以下の青色成分については、銀塩写真が広い再現範囲を持ち、７００ｎｍ以上の赤色成分についてはオフセット印刷が広くまたシャープな分光特性をもつ。そのため、感覚的には「抜けるような青空」については銀塩写真が、「鮮やかな赤い花」ならオフセット印刷がそれぞれ良好な再現性を持っている。したがって、オフセット印刷で「抜けるような青空」が必要な場合、特色処理を用いて色再現域を拡大するなどの方法が取られている。
【０００６】
図１３は、従来の電子写真方式の画像形成装置による出力と銀塩写真による出力の色再現範囲の一例を示すグラフ、図１４は、同じくイエロー、マゼンタ、シアンの各色の分光反射率の一例を示すグラフ、図１５は、同じく２次色の分光反射率の一例を示すグラフである。図中、破線で示されているグラフが銀塩写真の場合を表わし、実線で示されているグラフが電子写真方式の画像形成装置による出力画像の場合を表している。なお、ここでの測定はＤ５０光源２度視野によるものである。また、電子写真方式の画像形成装置で用いられている色材は、オフセット印刷で多く用いられているものであり、色再現範囲も通常のオフセット印刷とほぼ同等である。ここでは出力モードとして、写真モードが選択されたものとする。
【０００７】
図１３に示すように、電子写真方式の画像形成装置による出力と銀塩写真の色再現範囲を比較すると、点線で囲んで示したＬ* ＝２０、ａ* ＝３０、ｂ* ＝−４０を中心とした濃いブルーの領域で電子写真方式の画像形成装置の色再現範囲は銀塩写真よりも狭くなっていることがわかる。これは、図１４に示す電子写真方式の画像形成装置のマゼンタ色材の分光反射率が、銀塩写真に比較して特に４００〜５００ｎｍの波長域成分が少ないために生じている現象である。単純に考えた場合、マゼンタの色材を銀塩写真のもので置き換えれば濃いブルーの領域のスペクトルを強くすることができる。しかしこの場合には、図１５に見られるように赤の領域では銀塩写真の場合にグラフの立ち上がりが悪い。すなわち、銀塩写真のマゼンタの色材では、２次色の赤の領域において波長６００ｎｍ以下の不要な反射が発生し、また６００ｎｍ以上の必要な周波数スペクトルが減少するため、赤の領域での彩度低下を招き、印刷で必要な再現域を確保できない。従って、ブルーの領域と赤の領域の再現性を確保するためには現有の色材のみでは不可能であることが分かる。
【０００８】
一方、近年目覚しく発展しているインクジェット方式のプリンタでは、インクまたは用紙に蛍光剤を含有させることで、色再現域を拡大する方法も取られている。しかし、用紙中に蛍光剤を含有させた場合、用紙が青く色づいてギスギスして見えたり、視覚的には用紙との色の違いを検出することから効果も低いなど、問題点が多い。また、従来から用いられている発色トナー内に蛍光剤を含有させる方法では、場合により不必要な分光スペクトルが発生し、不自然な出力となるため、使用に際しては問題となる。
【０００９】
【発明が解決しようとする課題】
本発明は、上述した事情に鑑みてなされたもので、不必要な分光スペクトルを発生させずに必要な色再現範囲を確保し、良好な色再現による画質向上を実現したカラー画像形成装置を提供することを目的とするものである。
【００１０】
【課題を解決するための手段】
本発明は、通常のカラー画像を形成するために用いられるトナーと、それ以外に色特性を変化させる付加トナーを用いて画像を形成する。付加トナーとしては、例えば４００〜５００ｎｍに分光反射率のピークをもつ色材や蛍光物質などを透明トナーに混ぜて用いる。このような付加トナーのトナー量は、画像処理手段において入力された信号を複数色の画像出力信号に変換する際に、入力された信号の色特性に基づいて決定する。例えば上述のように従来の電子写真方式の画像形成装置では再現できなかった濃いブルーを再現する際には、この濃いブルーの領域について付加トナーを用い、良好なブルーの色再現を行なう。また、レッドの領域については付加トナーを用いず、不要な分光スペクトルの発生を防止して高彩度のレッドを再現する。このようにして必要な色再現範囲を確保し、良好な色再現を行なって画質を向上させることができる。
【００１１】
【発明の実施の形態】
図１は、本発明のカラー画像形成装置の実施の一形態を示す概略ブロック構成図である。図中、１は画像判定部、２は画像処理部、３は画像形成部、１１は色空間変換部、１２はモード判定部、１３は色変換特性決定部、１４は色変換部、１５は階調特性補正部、１６はスクリーンジェネレータである。画像判定部１は、入力されたデータを解釈し、入力画像と出力モードを画像処理部２に送る。画像処理部２は、入力画像に対して出力モードに応じて色変換や他の画像処理を行なった後、画像形成部３で用いる各色の出力信号に変換する。画像形成部３では、画像処理部２から出力される各色ごとの出力信号に応じて出力画像を形成する。この例では、画像形成部３はイエロー（Ｙ），マゼンタ（Ｍ），シアン（Ｃ）の３色に付加トナー（Ｔ）を加えた４色、あるいはそれに加えてブラック（Ｋ）の５色によって画像を形成する。
【００１２】
画像処理部２の色空間変換部１１は、画像判定部１から受け取った入力画像の色空間を、以降の処理で必要とされる色空間（以下、システム色空間と呼ぶ）に変換する。モード判定部１２は、画像判定部１から受け取った出力モードに関する情報を判定し、色変換特性を切り換えるための情報を色変換特性決定部１３に送る。色変換特性決定部１３は、モード判定部１２からの情報に基づいて、色変換のためのパラメータを色変換部１４へ送る。特に、モードに応じた付加トナー量の調整や、それに応じた他の色のトナー量の調整を行なうためのパラメータを色変換部１４へ送る。色変換部１４は、色変換特性決定部１３から送られてくるパラメータをもとに、色空間変換部１１から送られてきた画像信号について色変換処理を行なう。ここでは一例として、システム色空間の画像信号から４つの色信号Ｙ，Ｍ，Ｃ，Ｋと付加トナー量を示すＴの５つの信号に変換する。階調特性補正部１５は、色変換部１４で変換された各色信号に対して階調補正処理を行ない、色信号Ｙ’，Ｍ’，Ｃ’，Ｋ’，Ｔ’に変換する。補正された色信号は画像形成部３に送られ、出力画像が形成される。
【００１３】
図２は、本発明のカラー画像形成装置の実施の一形態における色変換部および色変換特性決定部の一例を示すブロック構成図である。図中、２１は色相判定部、２２は第１の色補正部、２３は第２の色補正部、２４は色重み関数発生部、２５はモード関数である。色変換部１４は色相判定部２１、第１の色補正部２２、第２の色補正部２３、色重み発生部２４を有している。
【００１４】
色相判定部２１は、画像信号のメトリック色相角Ｈ°を計算するものである。メトリック色相角Ｈ゜は、入力画像信号のシステム値からマトリックス計算または、ルックアップテーブルにより直接求めることができる。第１の色補正部２２は、色空間変換部１１で変換された３次元のシステム色空間の画像信号を、Ｙ，Ｍ，Ｃ，Ｋの４色の画像信号に変換するものであり、一般的な墨版生成回路で構成される。第２の色補正部２３は、Ｙ，Ｍ，Ｃ，Ｋの４色の画像信号から付加トナーＴの信号を生成する。第２の色補正部２３に必要な情報は色重み発生部２４から渡される色重みα、及び色変換特性決定部１３から得ることができる。色重み発生部２４は、色相判定部２１から与えられる入力画像信号の色相角をもとに、例えば色重み関数を用いて色重みαを出力する。色変換特性決定部１３は、ここではモード関数２５を有しており、モード判定部１２から入力される出力モードに対応したパラメータを第２の色補正部２３に対して出力する。
【００１５】
具体例として、ブルー、すなわち、マゼンタ、シアンの混在領域においてブルーの付加トナーによって、マゼンタ、シアンのトナーを置き換える場合を考える。上述のように写真を出力する場合、銀塩写真に比べてブルーの再現性に欠けていた。そのため、写真を出力する際にはブルーの再現性を向上させるため、ブルーの付加トナーを用い、マゼンタ、シアンのトナーをその分だけ少なくする。また、赤の再現性を低下させないように、マゼンタのトナー量が多い場合でもブルー以外の場合にはブルーの付加トナーを用いないように色変換する。
【００１６】
図３は、色重み関数の一例を示すグラフ、図４は、第２の色補正部の具体的な動作の説明図である。色重み発生部２４は、例えば図３に示すような色重み関数を保持しており、色相判定部２１から与えられる色相角Ｈ゜に応じて色重みαを出力する。ここでは、色重みαは出力画像の色再現性にあわせて、ブルーすなわち色相角３００度で最大値１となり、シアン（色相角２４０度）以下と、マゼンタ（色相角３６０度）以上では０となる。このような色重みαを第２の色補正部２３に渡す。色重み関数は、関数式として保持し、必要に応じて色重みαを算出してもよいし、テーブルとして色重みαを保持してもよく、種々の実現方法を適用することができる。
【００１７】
第２の色補正部２３は、上述のように色変換特性決定部１３からのパラメータによってその動作が切り換えられる。ここでは色変換特性決定部１３内のモード関数２５は、写真または印刷の２つのモードに対応したパラメータを出力するものとする。上述のように写真を出力する場合、銀塩写真に比べてブルーの再現性に欠けているので、写真モードの場合に付加トナーを用いるような色変換が行なわれるように、パラメータを出力する。もちろん、さらに多くのモードを有し、設定するパラメータを切換えあるいは混在させることも可能である。また、被記録媒体の特性、例えば光沢などを考慮してパラメータを設定してもよい。
【００１８】
第２の色補正部２３は、写真モードにおいては、図４に示すように色重み発生部２４の出力する色重みαをもとに
Ｔ  ＝α＊ｍｉｎ（Ｍ，Ｃ）
Ｍ’＝Ｍ−Ｔ
Ｃ’＝Ｃ−Ｔ
を演算する。色重みαが図３に示すような値を取ることから、結果としてブルーの領域だけがブルーの付加トナーで置き換えられ、レッド、イエロー、グリーンなどの領域には付加トナーが存在せず、良好な色再現が可能となる。実装時の回路には、一般に使用されているＵＣＲ回路を変更して使用可能である。
【００１９】
なお、上述の第２の色補正部２３における演算式は一例であって、他の演算式を設定することもできる。この具体例ではモードが２つしかないので、上述の演算を行なうか否かを色変換特性決定部１３からのパラメータによって設定したが、演算式中で色変換特性決定部１３からのパラメータの値を用いるような式を設定して、モードによって付加トナーの使用量を増減するように色補正することも可能である。
【００２０】
図５は、本発明のカラー画像形成装置の実施の一形態を示す画像形成部の概略構成図である。図中、３１はレーザスキャナ走査部、３２−１〜３２−５は感光体、３３−１〜３３−５は帯電器、３４−１〜３４−５は現像器、３５−１〜３５−５は転写器、３６は中間転写体、３７，３８は加圧加熱ロール、３９は冷却装置、４０は用紙トレイ、４１は給紙装置である。画像形成部３では、画像処理部２から送られてくる各色信号に基づいて、例えば図２に示すような構成によって用紙上に出力画像を形成する。
【００２１】
画像処理部２から送られてくる各色信号は、スクリーンジェネレータ１６においてスクリーン処理が施され、これに基づいてレーザスキャナ走査部３１が駆動される。各色信号に対応して感光体３２−１〜３２−５が設けられており、帯電器３３−１〜３３−５によって帯電された後、レーザスキャナ走査部３１によってレーザ光が照射されて感光体３２−１〜３２−５上に静電潜像を形成する。現像器３４−１〜３４−５によってそれぞれＹ（イエロー）、Ｍ（マゼンタ）、Ｃ（シアン）、Ｋ（ブラック）、Ｔ（付加トナー）の各トナー像を感光体３２−１〜３２−５上に形成する。このトナー像は転写器３５−１〜３５−５によって順次中間転写体３６に転写され、各色のトナー像が中間転写体３６上に形成される。
【００２２】
一方、用紙トレイ４０から給紙装置４１によって用紙が給送される。加圧加熱ロール３７，３８によって中間転写体３６と用紙とを挟圧して密着させ、また加熱する。この密着状態のまま、冷却または放熱させ、その後、中間転写体３６から用紙をトナー像とともに分離して、出力画像を得る。
【００２３】
図６は、付加トナーの一具体例における反射率スペクトルを示すグラフである。付加トナーを用いること自体は、例えば上述の特公平７−３８０８４号公報にも記載されており、この文献の場合には無色透明なトナーを用いている。ここでは具体例として、この無色透明なトナーにトナー顔料として群青３００を混入させた。これによって、図６に示すように４００〜５００ｎｍ域での反射スペクトルを向上させている。
【００２４】
図７は、本発明の画像形成装置の実施の一形態によって形成された出力画像と銀塩写真の画像との色再現範囲の一例を示すグラフである。具体的に写真モードにおいて図３に示すような色重み関数を用い、図４に示すような色変換処理を行ない、図６に示すような反射率スペクトルを有する付加トナーを用いて画像を形成した場合について、形成された出力画像の色再現範囲を図７に実線で示している。図６に示すような反射率スペクトルを有する付加トナーを用いて画像を形成した場合、最大濃度における色度座標はＬ* ＝２２，ａ* ＝３４．５，ｂ* ＝−６１．５となる。図７と図１３とを比較してわかるように、点線で示すブルーの領域における色再現範囲が大幅に拡大されており、銀塩写真のブルーの領域をほぼ網羅することができる。
【００２５】
なお、付加トナーは上述の特公平７−３８０８４号公報に記載されているように線幅の拡大を防止する目的にも用いることができる。図６に示すようにブルーの顔料を混入しているため、付加トナーの付加された部分は多少は青みがかる。しかし、図６に示すような反射率スペクトルでは青みはわずかである。また線幅の拡大のために付加する付加トナー量はわずかであるため、ほとんど視認できない程度である。このように無色透明のトナーにブルーの顔料を混入させることによって、線幅の拡大を防止するとともに色再現性を向上させることができる。また、無色透明の付加トナーを用いていた画像形成部の構成をそのまま用い、装置を大型化することなく色再現性を向上させることができる。
【００２６】
もちろん、付加トナーとしては、無色透明のトナーにブルーの顔料を混入させたものに限らず、ブルーのトナーを用いてもよい。その場合、無色透明のトナーを別に用意してももちろんよい。
【００２７】
また、付加トナーとして用いるトナー顔料は上述の具体例に限定されるものではなく、種々の色材を用いることができる。別の例として、蛍光顔料を含んだ透明トナーを付加トナーとすることもできる。図８は、付加トナーとして蛍光顔料を用いた場合のイエロー、マゼンタ、シアンの各色の分光反射率の一例を示すグラフ、図９は、同じく２次色の分光反射率の一例を示すグラフである。図中、実線は付加トナーを加えない場合を示し、破線は付加トナーをマゼンタトナーまたはシアントナーと等量加えた場合を示している。具体的な蛍光顔料として、４００ｎｍ以下の光源によって４３０〜４４０ｎｍを中心に励起されるものを使用した。この場合、測定条件によって異なるが、Ｘｒｉｔｅ（登録商標）の測色計で測定した各色トナーの分光反射率分布は図８に示すようになる。特にマゼンタにおいては図１４に示したグラフと比較してわかるように、蛍光顔料を使用した付加トナーを用いることによって銀塩写真の場合のマゼンタの反射率スペクトルとほぼ同様の反射率スペクトルが得られている。
【００２８】
さらに、写真モードの場合、ブルー入力時およびマゼンタ入力時、シアン入力時のみ蛍光顔料を使用した付加トナーを加えるように色補正を行なうことによって、図８に示すイエローや、図９に示すレッド、グリーンなどの色再現には影響を与えないようにすることができる。
【００２９】
図１０は、本発明の画像形成装置の実施の一形態において付加トナーに蛍光顔料を含ませた場合の出力画像と銀塩写真の画像との色再現範囲の一例を示すグラフである。図１０に示すように、蛍光顔料を含む付加トナーを用いた場合、点線で囲んだブルーの領域は銀塩写真とほぼ同等の色再現が可能となり、全体の色再現範囲も、イエローの領域の一部を除き、銀塩写真の色再現域をほぼ包含することができた。
【００３０】
図１１は、蛍光顔料を含む付加トナーを用いる場合の色重み関数の一例を示すグラフ、図１２は、同じく第２の色補正部の具体的な動作の説明図である。上述のようにブルー入力時およびマゼンタ入力時、シアン入力時のみ蛍光顔料を使用した付加トナーを加える場合には、画像処理部２においてそれを実現するための色補正を行なう。具体的には、まず色重み発生部２４における色重み関数を図１１に示すように変更する。図１１に示した色重み関数は、シアン（色相角２４４度），ブルー（色相角２９８度），マゼンタ（色相角３４０度）の領域で色重みαの値が１となり、レッド（色相角４０度），イエロー（色相角９５度），グリーン（色相角１６５度）の領域で色重みαが０となるように設定している。
【００３１】
また、第２の色補正部２３は図１２に示すように
Ｔ＝α＊Ｍｉｎ（Ｍ，Ｃ）
の変換のみを行なう。蛍光顔料を用いた場合、他のトナー量には影響を与えないため、付加トナー量だけシアンやマゼンタのトナー量を減らす必要はない。このような色補正処理を実装する際の回路には、いわゆるスケルトンブラック生成回路が使用可能である。
【００３２】
上述の実施の一形態では、Ｙ，Ｍ，Ｃ，Ｋに付加トナーＴを加えた５つのトナーによって画像を形成する場合を示したが、本発明はこれに限らず、Ｋトナーを含まないシステムや、付加トナーＴ以外の５つ以上のトナーを用いるシステムにおいても適用することができる。また、図５では使用するトナーの数だけ感光体および帯電器、現像器、転写器等を設け、中間転写体３６に転写する方式の画像形成部３の構成を示したが、これに限らず、例えば感光体、帯電器、転写器が１つで、現像器で使用するトナーを切り換える方式や、これらの方式において中間転写体３６を用いずに直接用紙に画像を形成する方式など、種々の方式の構成を画像形成部に適用することができる。
【００３３】
【発明の効果】
以上の説明から明らかなように、本発明によれば、色特性を変化させる付加トナーを備え、入力された画像信号の色特性に基づいて、付加トナー量を補正することによって、不要な分光スペクトルが発生することなく色再現範囲を拡大し、良好な色再現を行なって画質を向上させることができるという効果がある。
【図面の簡単な説明】
【図１】  本発明のカラー画像形成装置の実施の一形態を示す概略ブロック構成図である。
【図２】  本発明のカラー画像形成装置の実施の一形態における色変換部および色変換特性決定部の一例を示すブロック構成図である。
【図３】  色重み関数の一例を示すグラフである。
【図４】  第２の色補正部の具体的な動作の説明図である。
【図５】  本発明のカラー画像形成装置の実施の一形態を示す画像形成部の概略構成図である。
【図６】  付加トナーの一具体例における反射率スペクトルを示すグラフである。
【図７】  本発明の画像形成装置の実施の一形態によって形成された出力画像と銀塩写真の画像との色再現範囲の一例を示すグラフである。
【図８】  付加トナーとして蛍光顔料を用いた場合のイエロー、マゼンタ、シアンの各色の分光反射率の一例を示すグラフである。
【図９】  付加トナーとして蛍光顔料を用いた場合の２次色の分光反射率の一例を示すグラフである。
【図１０】  本発明の画像形成装置の実施の一形態において付加トナーに蛍光顔料を含ませた場合の出力画像と銀塩写真の画像との色再現範囲の一例を示すグラフである。
【図１１】  蛍光顔料を含む付加トナーを用いる場合の色重み関数の一例を示すグラフである。
【図１２】  蛍光顔料を含む付加トナーを用いる場合の第２の色補正部の具体的な動作の説明図である。
【図１３】  従来の電子写真方式の画像形成装置による出力と銀塩写真による出力の色再現範囲の一例を示すグラフである。
【図１４】  従来の電子写真方式の画像形成装置による出力と銀塩写真による出力のイエロー、マゼンタ、シアンの各色の分光反射率の一例を示すグラフである。
【図１５】  従来の電子写真方式の画像形成装置による出力と銀塩写真による出力の２次色の分光反射率の一例を示すグラフである。
【符号の説明】
１…画像判定部、２…画像処理部、３…画像形成部、１１…色空間変換部、１２…モード判定部、１３…色変換特性決定部、１４…色変換部、１５…階調特性補正部、１６…スクリーンジェネレータ、２１…色相判定部、２２…第１の色補正部、２３…第２の色補正部、２４…色重み関数発生部、２５…モード関数、３１…レーザスキャナ走査部、３２−１〜３２−５…感光体、３３−１〜３３−５…帯電器、３４−１〜３４−５…現像器、３５−１〜３５−５…転写器、３６…中間転写体、３７，３８…加圧加熱ロール、３９…冷却装置、４０…用紙トレイ、４１…給紙装置。
【図１】
0003671996.tif 000002
【図２】
0003671996.tif 000003
【図３】
0003671996.tif 000004
【図４】
0003671996.tif 000005
【図５】
0003671996.tif 000006
【図６】
0003671996.tif 000007
【図７】
0003671996.tif 000008
【図８】
0003671996.tif 000009
【図９】
0003671996.tif 000010
【図１０】
0003671996.tif 000011
【図１１】
0003671996.tif 000012
【図１２】
0003671996.tif 000013
【図１３】
0003671996.tif 000014
【図１４】
0003671996.tif 000015
【図１５】
0003671996.tif 000016